(57)【要約】【課題】  脚付きのお膳やお重のような外観の脚を形成して紙器の底面が載置面から浮くようにし、かつ、自動製函機により製函できる紙器を提供すること。【解決手段】正面、裏面及び両側面の各胴パネル１−４の下端部にワンタッチ底を形成するフラップ６−９をそれぞれ連接した紙器において、各胴パネル１−４と各フラップ６−９との各連接部を当該各フラップ６−９の左右から胴パネル１−４側に凹状に切り込むと共に、当該凹状の底位置に各フラップ６−９の折り線を配置する。【選択図】図１
2016078913.tif 000002
【特許請求の範囲】
【請求項１】
正面、裏面及び両側面の各胴パネルの下端部にワンタッチ底を形成するフラップをそれぞれ連接した紙器において、
前記各胴パネルと前記各フラップとの各連接部を当該各フラップの左右から胴パネル側に凹状に切り込むと共に、当該凹状の底位置に前記各フラップの折り線を配置した、紙器。
【発明の詳細な説明】
【技術分野】
【０００１】
本発明は、紙器に係り、特に、ワンタッチ底タイプの紙器に関する。
【背景技術】
【０００２】
図３に従来一般的なワンタッチ底の紙器の展開図を示す。当該紙器は、正面、裏面及び両側面の各胴パネル５１−５４と、当該胴パネルを囲いに形成する糊代フラップ５５とを備えている。胴パネル５１−５４の下端部には、ワンタッチ底を形成するフラップ５６−５９が連接されている。一方、胴パネル５１−５４の上端部には、蓋を形成するフラップ６１−６４が連接されている。
【０００３】
この種の紙器は、自動製函機（サックマシン）により製函することが可能である。即ち、自動製函機により、複合フラップ５６，５８の角に形成された三角糊代５６ａ，５８ａを、隣接するフラップ５７，５９に接着すること、及び糊代フラップ５５を接着することが可能である。ワンタッチ底タイプの紙器は、例えば、特許文献１にも開示されている。
【０００４】
図３に示した展開図を組み立てると、紙器の底面は、図４に示す状態となる。即ち、紙器の底部は平坦になり、外観は一般的な箱型となる。
【０００５】
この場合、箱の底が載置面に直接触れるので、載置面が濡れている場合、箱の底面が濡れてしまう。また、食品の容器として脚付きのお膳やお重のような見栄えを求められる場合があり、この要求に応える形状にもなっていない。
【０００６】
一方、脚付きのお膳やお重のような見栄えを実現する紙器として、図５に示す展開図から成る紙器がある。図の上が紙器の下端部になる。糊代フラップ６５を接着することにより外壁パネル６６−６９を囲いにし、その中に内壁パネル７１−７４を折り入れて、外壁パネル６６−６９に当接させる。更に、内壁パネル７１−７４に連接されたワンタッチ底を構成するフラップ７６−７９を糊貼りする。ただし、このワンタッチ底は箱を開いても閉塞されず、縁のみが形成される。縁に囲まれた空間を塞ぐように容器内に中敷きを入れると底面が形成され、紙器の底面は図６に示す状態になる。図５において、各外壁パネル６６−６９の下端部の中央部に、予め凹部６６ａ−６９ａを形成しているので、脚付きのお膳やお重のような脚を持つ外観になる。また、外壁パネル６６−６９の高さにくらべ、内壁パネル７１−７４の高さを短く設定しているので、中敷きにより形成された底面は外壁パネル６６−６９の下端部より浮いた位置に配置される。このため、脚付きのお膳やお重のような外観の紙器を形成することができ、かつ、載置面が濡れていても紙器の底面は濡れないようになっている。
【０００７】
しかしながら、この図５に示した展開図の紙器は、自動製函機による機械貼りを行うことができず、手作業での製函となる。
【先行技術文献】
【特許文献】
【０００８】
【特許文献１】特開平８−８０９３６号公報
【発明の概要】
【発明が解決しようとする課題】
【０００９】
そこで本発明は、脚付きのお膳やお重のような外観の脚を形成して紙器の底面が載置面から浮くようにし、かつ、自動製函機により製函できる紙器を提供することを課題とする。
【課題を解決するための手段】
【００１０】
この課題を解決するため、本発明の紙器では、正面、裏面及び両側面の各胴パネルの下端部にワンタッチ底を形成するフラップをそれぞれ連接した紙器において、各胴パネルと各フラップとの各連接部を当該各フラップの左右から胴パネル側に凹状に切り込むと共に、当該凹状の底位置に各フラップの折り線を配置する。
【００１１】
そして、各フラップを折り線から折ると、ワンタッチ底が胴パネルの下端部よりも幾分高い位置に配置され、かつ、凹状に切り込んだ部分が、胴パネルの下端部に脚付きのお膳やお重のような外観の脚を形成する。これは例えば、図２に示す外観となる。
【発明の効果】
【００１２】
本発明によれば、脚付きのお膳やお重のような外観の脚を形成して紙器の底面が載置面から浮くようにし、かつ、自動製函機により製函可能な紙器を提供することができる。
【図面の簡単な説明】
【００１３】
【図１】図１は、本発明の実施形態である紙器の展開図。
【図２】図２は、図１のシートを製函した底面の状態図。
【図３】図３は、第１の従来例を示す紙器の展開図。
【図４】図４は、図３のシートを製函した底面の状態図。
【図５】図５は、第２の従来例を示す紙器の展開図。
【図６】図６は、図５のシートを製函した底面の状態図。
【発明を実施するための形態】
【００１４】
以下、本発明の一実施形態を図１に基づいて説明する。図１は、本実施形態の紙器の展開図である。図に付記した寸法は一例である。この図１に示す紙器は、正面、裏面及び両側面の各胴パネル１−４を備え、各胴パネル１−４の下端部には、ワンタッチ底を形成するフラップ６−９がそれぞれ連接されている。各胴パネル１−４と各フラップ６−９との各連接部は、当該各フラップ６−９の左右から胴パネル１−４側に凹状に切り込まれている。当該凹状の底位置には、各フラップ６−９の折り線１１−１４が配置されている。
【００１５】
これを更に詳述すると、本実施形態において、胴パネルである正面パネル１、右側面パネル２、裏面パネル３及び左側面パネル４は、それぞれ略方形であり、横方向に連接されている。本実施形態では、正面パネル１及び裏面パネル３が長手のパネルであり、各側面パネル２，４が短手のパネルになっている。正面パネル１の側方の一端部には、胴パネル１−４を囲いに形成する糊代フラップ５が形成されている。この糊代フラップ５に左側面パネル４の開放端部を接着することにより、胴パネル１−４が囲いを形成する。
【００１６】
各胴パネル１−４の上端部には、蓋を形成する各フラップ１６−１９が連接されている。
【００１７】
各胴パネル１−４の下端部には、ワンタッチ底を形成する各フラップ６−９が連接されている。長手の胴パネル１，３にそれぞれ連接された長手のフラップ６，８は、角部に三角糊代６ａ，８ａを備えた複合フラップになっている。三角糊代６ａ，８ａは、短手の胴パネル２，４に連接されたフラップ７，９に接着される。
【００１８】
各胴パネル１−４と各フラップ６−９との連接部は、各フラップ６−９の左右から各フラップ６−９の折り線１１−１４と平行に切り込まれ、そこから更に各胴パネル１−４の側に凹状に切り込まれている。そして、当該凹状の底位置が各胴パネル１−４から各フラップ６−９を折る折り線１１−１４になっている。折り線１１−１４と平行な切り込みにより、胴パネル１−４の下端部が形成され、紙器の脚となる。凹状部は、各胴パネル１−４の下端中央部に形成され、脚付きのお膳やお重のような外観を成す。
【００１９】
以上のように構成された紙器を製函すると、底部は図２のように表れる。上記のとおり、各胴パネル１−４の下端部を凹状に切り込むことにより、各胴パネル１−４の下端部に脚が形成され、ワンタッチ底の底面は紙器の載置面から浮いた状態となる。構造上、底面の四隅に隙間が出来るが、内容物に応じてこの隙間を埋める必要がある場合は、紙器の内部に中敷きを敷き詰めればよい。
【００２０】
以上に説明した本実施形態によれば、脚付きのお膳やお重のような外観の脚を形成して紙器の底面が載置面から浮くようにし、かつ、自動製函機により製函可能な紙器を提供することができる。また、本実施形態の紙器は、特に、弁当（食品）容器に好適であり、以下のすべての効果がある。
【００２１】
（１）脚付きのお膳の様に、紙器の下に脚が付いている。このため見栄えがよく、従来の脚付きのお重等を紙製に変えてきた経緯にも沿う。また、食品の調理・詰め合わせ作業場は、その台が濡れている場合が多いが、脚を形成しワンタッチ底を浮かせているので、底面が濡れてしまうことを防止できる。
【００２２】
（２）食品は、調理・詰め合わせを短時間で行う必要がある。従って、その容器は出来るだけ、組立作業等が無いもの、又は、簡単に組めるものが望ましい。本実施形態の紙器は、ワンタッチ底タイプなので、紙器を開くだけで容器を組み立てることができる。
【００２３】
（３）一般的に食品は必要数量が多い（例えば1000食／日）ので、その容器も出来るだけ発注を受けてから短時間で生産出来るものが望ましい。また、短時間（機械生産）で生産することにより、容器を低価格で提供することが可能となる。本実施形態の紙器は、型全体を見れば一般的なワンタッチ底タイプの紙器の型になっており、自動製函機による製函を行うことができる。
【００２４】
ここで、本発明の範囲は、以上の実施形態に限られず、特許請求の範囲に記載した発明の範囲である。例えば、寸法や形状は実施形態に限らない。
【符号の説明】
【００２５】
１，２，３，４  胴パネル
５  胴パネルの糊代フラップ
６，７，８，９  ワンタッチ底を構成するフラップ
６ａ，８ａ  三角糊代
１１，１２，１３，１４  ワンタッチ底を構成するフラップの折り線
【図１】
2016078913.tif 000003
【図３】
2016078913.tif 000004
【図５】
2016078913.tif 000005
【図２】
2016078913.tif 000006
【図４】
2016078913.tif 000007
【図６】
2016078913.tif 000008